(57)【特許請求の範囲】
【請求項１】
段ボールの波形中芯およびライナーを積層して厚さ２．５〜４ｃｍの短冊ブロック状にスライスしてなる猫用爪研ぎ具を、猫用ケージを構成する格子状のケージパネルの内側に添え当てて固定するための固定具であって、
前記ケージパネルの内側に配置される押さえ部材と、前記ケージパネルの外側に配置される締結部材とを対にして、それらの間に前記爪研ぎ具を挟み込むように構成され、
前記押さえ部材は、扁平で丸みのあるオモテ面と、角部のない曲線的な周縁と、平坦なウラ面と、を有する押さえ板の該ウラ面の中央付近に、前記爪研ぎ具の厚さよりも長い１本の金属製ボルト部材を該ウラ面から直立するように結合して形成され、該ウラ面にはドット状をなす複数個の小突起が突設される一方、
前記締結部材は、前記押さえ板よりも厚みが大きく前記ケージパネルの線材ピッチよりも直径が大きくて、指先で摘持して回動させ得る断面角丸正多角形状の周面と、丸みのある頂面と、平坦なウラ面と、を有するハンドルノブを備え、該ハンドルノブのウラ面に、前記ボルト部材に螺合し得る１個の金属製ナット部材が結合されるとともに、該ナット部材に螺合されて突出するボルト部材の軸部を収容し得る筒状空洞部が形成された
ことを特徴とする猫用爪研ぎ具の固定具。
【請求項２】
請求項１に記載された猫用爪研ぎ具の固定具を二組用いて、前記爪研ぎ具を、前記猫用ケージを構成する格子状のケージパネルの内側に縦向きに添え当てて固定する猫用爪研ぎ具の固定構造であって、
前記猫用ケージの内側から前記爪研ぎ具の上下両端に前記押さえ部材を押し当て、前記ボルト部材を前記爪研ぎ具の上端または下端に添わせるか、または爪研ぎ具に突き刺して、前記ケージパネルの間から前記猫用ケージの外側に突出させ、その突出した前記ボルト部材に前記猫用ケージの外側から前記締結部材の前記ナット部材を締め付けることにより、前記押さえ部材と前記締結部材との間に厚さ２．５〜４ｃｍの段ボール製爪研ぎ具と前記ケージパネルとを挟み込んで固定する
ことを特徴とする猫用爪研ぎ具の固定構造。
【発明の詳細な説明】
【技術分野】
【０００１】
本発明は、猫用爪研ぎ具を猫用ケージ等に固定するための固定具と、該固定具を用いた猫用爪研ぎ具の固定構造に関する。
【背景技術】
【０００２】
室内で飼育している猫に爪を研がせるための爪研ぎ具（爪みがき）としては、多数枚、積層した段ボールを短冊ブロック状にスライスし、そのフルート面（ライナーおよび波形中芯の端面）を爪で引っ掻くようにしたものがよく利用されている。その種の爪研ぎ具は通常、床面に置いた状態で、猫がその上に乗って引っ掻くといった態様で利用される。あるいは、爪研ぎ具を適宜のケースに収容するなどして壁面等に立てかけ、猫が立ち上がった姿勢で引っ掻くといった態様で利用されることもある。
【０００３】
しかし、そのような利用態様では爪研ぎ具が安定せず、容易に動いてしまうので、猫が爪を研ぎにくい。設置状態を安定させるには、爪研ぎ具自体やその収容ケース等を必要以上に大きなものにせざるを得ず、省スペース性や経済性の面で無駄が大きくなる。
【０００４】
ところで近年では、警戒心の強い猫が安心できるテリトリーの確保、留守中の事故防止、排泄の躾、乳幼児や来客への配慮など、安全面や衛生面を考慮して、室内飼いの猫でも一時的にケージ内で飼育することが増えている。そのための猫用ケージとして、底面の大きさに比べて背が高めで、内側に数枚の踏み板を段違い状に取り付けられるようにしたものが種々、市販されている。
【０００５】
このような事情を背景として、猫用ケージの側面を構成する格子状のケージパネルに爪研ぎ具を固定できるようにした固定具が、特許文献１に提案されている。同文献の図７〜図１０に記載された固定具は、段ボールからなる短冊ブロック状の爪研ぎ具を縦向きにして上下から挟み込むように、２個一組で使用される。１個の固定具は、平らな金属板と金属線材とを組み合わせて爪研ぎ具の端面に嵌装できるようにした略角形トレー状の部材で、平行に延設された線材の端部がボルトになっている。この固定具を爪研ぎ具の端面に嵌装して猫用ケージの内側に添え当て、ケージパネルの間からボルトを外側に突出させ、外側からボルトに帯状プレートを挿装してナットを締結すると、爪研ぎ具がケージパネルの内側に押し当てられた状態で固定される。
【０００６】
また、特許文献２には、短冊状の板体に麻紐等の爪研ぎ線材を巻きつけた爪研ぎ具を、板体に埋め込んだボルト状の連結部材と、該連結部材に挿装する板状の支持部材と、連結部材に螺合されて支持部材を締め付ける蝶ナット状の位置決め部材とによって、特許文献１に記載された固定具と同様に、ケージパネルを挟み込むように固定する構成が記載されている。
【先行技術文献】
【特許文献】
【０００７】
【特許文献１】特開２０１２−５０４１９号公報
【特許文献２】登録実用新案第３１７４５３４号公報
【発明の概要】
【発明が解決しようとする課題】
【０００８】
特許文献１に記載された猫用爪研ぎ具の固定手段は、以下のような点で改善の余地がある。
（１）金属板および金属線材が爪研ぎ具の上下両端に嵌装されるように形成されているので、使用できる爪研ぎ具の大きさや形状が限定される。
（２）１個の固定具をケージパネルに固定するためには、２カ所のボルト・ナットを締結する必要があり面倒である。
（３）ナットを締結する際にスパナ等の工具を要する。
（４）ケージの外側にボルトの先端が突出するので、飼い主等が室内を動き回る際にボルトに接触して怪我をする危険がある。
（５）金属板および金属線材が角張った形状に加工されているので、猫にとっても体をぶつけて怪我をする危険がある。
【０００９】
また、特許文献２に記載された猫用爪研ぎ具の固定手段も、以下のような点で改善の余地がある。
（６）特許文献１記載の固定手段と同様に、ケージの外側にボルト状の連結部材が突出するので、室内に設置してあると、該連結部材に接触して怪我をする危険がある。
（７）板体にボルト状の連結部材が埋め込まれて一体化されているので、爪研ぎ面だけを交換することができず、不経済である。
（８）板体にボルト状の連結部材を埋め込んで一体化する構成は、比較的安価な段ボール製の爪研ぎ具に適用するのが難しいので、この点でも不経済である。
【００１０】
本発明は、前記従来の爪研ぎ具の固定具における前述のような問題点を改善するためになされたもので、特に段ボール製の爪研ぎ具を、その大きさや形状に制約されることなく猫用ケージの側面に容易に固定することができ、猫にとっても飼い主にとっても安全で使い勝手に優れる固定具と、該固定具を用いた猫用爪研ぎ具の固定構造を提供するものである。
【課題を解決するための手段】
【００１１】
前述の目的を達成するため、本発明の猫用爪研ぎ具の固定具は、段ボールの波形中芯およびライナーを積層して厚さ２．５〜４ｃｍの短冊ブロック状にスライスしてなる猫用爪研ぎ具を、猫用ケージを構成する格子状のケージパネルの内側に添え当てて固定するための固定具であって、前記ケージパネルの内側に配置される押さえ部材と、前記ケージパネルの外側に配置される締結部材とを対にして、それらの間に前記爪研ぎ具を挟み込むように構成され、前記押さえ部材は、扁平で丸みのあるオモテ面と、角部のない曲線的な周縁と、平坦なウラ面と、を有する押さえ板の該ウラ面の中央付近に、前記爪研ぎ具の厚さよりも長い１本の金属製ボルト部材を該ウラ面から直立するように結合して形成され、該ウラ面にはドット状をなす複数個の小突起が突設される一方、前記締結部材は、前記押さえ板よりも厚みが大きく前記ケージパネルの線材ピッチよりも直径が大きくて、指先で摘持して回動させ得る断面角丸正多角形状の周面と、丸みのある頂面と、平坦なウラ面と、を有するハンドルノブを備え、該ハンドルノブのウラ面に、前記ボルト部材に螺合し得る１個の金属製ナット部材が結合されるとともに、該ナット部材に螺合されて突出するボルト部材の軸部を収容し得る筒状空洞部が形成されたものとして特徴づけられる。
【００１２】
また、本発明の猫用爪研ぎ具の固定構造は、前記固定具を二組用いて、前記爪研ぎ具を、前記猫用ケージを構成する格子状のケージパネルの内側に縦向きに添え当てて固定する猫用爪研ぎ具の固定構造であって、前記猫用ケージの内側から前記爪研ぎ具の上下両端に前記押さえ部材を押し当て、前記ボルト部材を前記爪研ぎ具の上端または下端に添わせるか、または爪研ぎ具に突き刺して、前記ケージパネルの間から前記猫用ケージの外側に突出させ、その突出した前記ボルト部材に前記猫用ケージの外側から前記締結部材の前記ナット部材を締め付けることにより、前記押さえ部材と前記締結部材との間に厚さ２．５〜４ｃｍの段ボール製爪研ぎ具と前記ケージパネルとを挟み込んで固定するものとして特徴づけられる。
【００１３】
押さえ板は、その平坦なウラ面で一般的な爪研ぎ具の端縁を安定的に押さえることができる程度の大きさに形成される。
【００１４】
また、押さえ板のウラ面に複数個のドット状をなす小突起を突設したことで、爪研ぎ面に対する固定力が増大する。
【００１５】
押さえ板のウラ面から直立するボルト部材は、一般的な爪研ぎ具の厚さよりもやや長くなるように形成される。ボルト部材は、爪研ぎ具の外縁に沿って取り付けてもよいし、段ボール製の爪研ぎ具に突き刺して取り付けることもできる。
【００１６】
ボルト部材にナット部材を締結するためのハンドルノブは、工具を使用せずに指先で摘持して回動させ得る形状に形成される。より具体的には、断面が角丸正多角形状（いわゆる角丸の星形も含む）をなす周面と、丸みのある頂面とを有するようにして、安全性を高めるのが好ましい。ハンドルノブの最大幅（直径）は、一般的なケージパネルを構成する線材のピッチよりも十分に大きい寸法に形成される。また、ハンドルノブの厚みを押さえ板の厚みよりも大きくして、ハンドルノブの厚みの中にボルト部材の螺合深さを確保すると、ハンドルノブを締めこんでも、ハンドルノブの頂面からボルト部材が突出するのを防ぐことができるので、さらに安全性が向上する。
【発明の効果】
【００１７】
本発明の猫用爪研ぎ具の固定具は、ウラ面の平坦な押さえ部材と締結部材との間に爪研ぎ具を挟み込むように構成されているので、爪研ぎ具の大きさや形状を問わずに使用することができ、その交換も容易で、段ボール製以外の爪研ぎ具でも使用可能である。
【００１８】
さらに、本発明の猫用爪研ぎ具の固定具は、押さえ部材と締結部材とが一組のボルト・ナット締結によって結合され、かつ、締結部材は指先で摘持して回せるように形成されているので、工具類を使用せずとも容易に爪研ぎ具を固定することができる。段ボール製の爪研ぎ具にボルト部材を突き刺すようにして固定すれば、一組のボルト・ナットであっても、爪研ぎ具をぐらつくことなく、しっかりと固定することができる。
【００１９】
さらに、本発明の猫用爪研ぎ具の固定具は、押さえ板の周縁およびオモテ面が曲線的、曲面的に形成されているので、猫が押さえ板にぶつかっても怪我をするおそれがない。同様に、ハンドルノブの周面および頂面も曲線的、曲面的に形成されており、ボルト部材の先端も突出しないので、室内の居住者等が猫用ケージに接触しても怪我をするおそれがなく、きわめて安全である。
【図面の簡単な説明】
【００２０】
【図１】一実施形態に係る固定具を用いて爪研ぎ具をケージパネルに固定した状態を示す斜視図である。
【図２】前記固定状態の側面図である。
【図３】前記固定具を構成する押さえ部材のウラ面側の斜視図である。
【図４】前記押さえ部材のオモテ面側の正面図である。
【図５】前記押さえ部材のウラ面側の正面図である。
【図６】前記固定具を構成する締結部材のウラ面側の斜視図である。
【図７】前記締結部材のオモテ面側の正面図である。
【図８】前記締結部材のウラ面側の正面図である。
【発明を実施するための形態】
【００２１】
以下、本発明の実施の形態について図を参照して説明する。
【００２２】
図１および図２は、一実施形態に係る固定具１を用いて、爪研ぎ具２を猫用ケージの内側面に固定した状態を示す。例示の爪研ぎ具２は、段ボールの波形中芯およびライナーを多数枚、積層して短冊ブロック状にスライスしたもので、そのフルート面を猫用ケージの内側に向け、猫用ケージを構成する格子状のケージパネル３の内側に縦向きに添え当てられて、二組の固定具１、１により上端および下端がケージパネル３に固定されている。
【００２３】
上下の固定具１、１は同一のものであり、以下、その一方について詳述する。固定具１は、押さえ部材４と締結部材５とを対にして構成され、通常は猫用ケージの内側に押さえ部材４、外側に締結部材５がそれぞれ配置される。
【００２４】
押さえ部材４は、図３〜図５に示すように、押さえ板４１に１本のボルト部材４２を結合して形成される。押さえ板４１は、ポリプロピレン樹脂やＡＢＳ樹脂その他の合成樹脂材料、あるいは木質材料や軽合金材料等からなる部材で、角部のない曲線的な周縁４３と、扁平で丸みのあるオモテ面４４と、平坦なウラ面４５とを有する形状に形成されている。ここでの「扁平」とは、正面から見た縦横寸法に比して厚みが十分に小さい、という意味である。また、「平坦」なウラ面４５とは、必ずしもまったく起伏のない平面というわけでなく、側面視形状が略直線的になる、という意味である。このウラ面４５で爪研ぎ具２の端部を押さえることになるので、押さえ板４１の最大幅は、一般的な爪研ぎ具２の幅（１０〜１５ｃｍ程度）を考慮して、概ね数ｃｍ以上、好ましくは７ｃｍ〜１０ｃｍ程度に設計される。
【００２５】
そして、押さえ板４１のウラ面４５の中央付近に、適宜形状の頭部を有する１本のボルト部材４２が、該頭部を該ウラ面４５に埋入させて該ウラ面４５から直立するように結合されている。ボルト部材４２の長さは、一般的な爪研ぎ具２の厚さ（２．５ｃｍ〜４ｃｍ）よりもやや長く、好ましくは５ｃｍ程度に設計される。
【００２６】
例示の押さえ板４１は、薄肉の合成樹脂成形品で、ウラ面４５は格子状に交差するリブ４６によって形成されており、中央付近に筒状部４７が形成されて、筒状部４７に金属製の六角ボルトの頭部がインサート成形されている。また、リブ４６の端縁には、高さ１ｍｍ程度の小突起４８が多数、形成されている。
【００２７】
締結部材５は、図６〜図８に示すように、ハンドルノブ５１に１個のナット部材５２を結合して形成される。ハンドルノブ５１は、ポリプロピレン樹脂やＡＢＳ樹脂その他の合成樹脂材料、あるいは木質材料や軽合金材料等からなる部材で、指先で摘持して回動させ得る形状をなすように形成されている。例示の形態では、周面５３の軸直交断面が正八角形に近い角丸の星形をなし、頂面５４は略半球状をなすように形成されている。ハンドルノブ５１のウラ面５５は、押さえ板４１のウラ面４５と同様に、平坦に形成されている。この「平坦」も、側面視形状が略直線的になる、という意味である。このウラ面５５でケージパネル３を押さえることになるので、ハンドルノブ５１の最大幅（直径）は、一般的なケージパネル３を構成する線材のピッチ（３ｃｍ程度）よりもやや大きく、好ましくは４ｃｍ〜５ｃｍ程度に設計される。
【００２８】
また、ハンドルノブ５１の全体の厚み（軸方向の全長）は、押さえ板４１の厚みよりも大きくなっている。そして、ウラ面５５の中心部分に、ボルト部材４２に螺合し得る１個のナット部材５２が、該ウラ面５５に埋入した状態で結合されている。例示の形態では、合成樹脂製のハンドルノブ５１に金属製の六角ナットがインサート成形されている。ハンドルノブ５１のウラ面５５は放射状のリブ５６によって形成されており、軸心部分には、ナット部材５２から突出したボルト部材４２の軸部を収容するための筒状空洞部５７が形成されている。
【００２９】
この固定具１を用いて爪研ぎ具２を固定する際には、猫用ケージの側面を構成するケージパネル３の内側に爪研ぎ具２を縦向きにして添え当て、爪研ぎ具２の上下両端に、ボルト部材４２を添わせるようにして押さえ板４１を押し当てる。爪研ぎ具２が段ボール製であれば、ボルト部材４２を爪研ぎ具２に突き刺して貫通させてもよい。そして、爪研ぎ具２を片手で支えつつ、ボルト部材４２をケージパネル３の間から外側に突出させ、ケージパネル３の外側からボルト部材４２に締結部材５のナット部材５２を締め付ける。すると、押さえ部材４と締結部材５との間に爪研ぎ具２およびケージパネル３が挟み込まれて、爪研ぎ具２が固定される。押さえ部材４のウラ面４５に突設された小突起４８は、爪研ぎ具２の爪研ぎ面に食い込んで、爪研ぎ具２を動きにくくする。
【００３０】
このようにして、任意の形状の爪研ぎ具２を、猫用ケージの任意の位置に、特別な工具を要することなく簡単に固定することができる。爪研ぎ具２を猫用ケージの内側に設置すれば、研ぎカスも猫用ケージの内側に落ちるので掃除がし易くなる。
【００３１】
この固定具１を利用すれば、猫用ケージだけでなく、例えば金属線材を格子状に加工するなどして形成された衝立パネルや収納家具等にも爪研ぎ具２を固定することができる。垂直面だけでなく、傾斜面や水平面にも適用可能である。締結部材５を緩めて押さえ部材４と分離すれば、容易に爪研ぎ具２の交換や移動ができるので、爪研ぎ具２の爪研ぎ面が痛んできたら上下を逆さまにしたり、猫の好みや成長に応じて爪研ぎ具２の位置を移動したりするといった面でも、非常に使い勝手が良い。
【００３２】
なお、例示した固定具１の構成は一例であり、前述と同様の作用効果が得られる範囲において、押さえ板４１およびハンドルノブ５１の形状は多少、改変されてもよい。押さえ板４１とボルト部材４２との結合、ハンドルノブ５１とナット部材５２との結合については、適宜公知の技術的手段を採用することができるが、押さえ板４１とボルト部材４２、ハンドルノブ５１とナット部材５２を、それぞれ同じ材質で一体的に成形してもよい。
【符号の説明】
【００３３】
１  固定具
２  爪研ぎ具
３  ケージパネル
４  押さえ部材
４１  押さえ板
４２  ボルト部材
４３  周縁
４４  オモテ面
４５  ウラ面
４８  小突起
５  締結部材
５１  ハンドルノブ
５２  ナット部材
５３  周面
５４  頂面
５５  ウラ面
【図１】
0006461625.tif 000002
【図２】
0006461625.tif 000003
【図３】
0006461625.tif 000004
【図４】
0006461625.tif 000005
【図５】
0006461625.tif 000006
【図６】
0006461625.tif 000007
【図７】
0006461625.tif 000008
【図８】
0006461625.tif 000009